(57)【要約】【課題】太さ形状を容易に変えることができるとともに感触が滑らかなマッサージ器具を提供する。【解決手段】軸材１がおねじ部１１を有する。筒材２が長さ方向に沿った貫通孔を有し、貫通孔に軸材１を貫通させて軸材１に回転可能に設けられる。各拡径材３が孔と嵌合部３３とを有し、外径が筒材２より大径をなし、孔に軸材１を貫通させて嵌合部３３が互いに間隔をあけて筒材２の各端部と着脱可能に嵌合している。カバー４が筒状であってゴム弾性を有し、各拡径材３および筒材２を着脱可能に被覆して保持するよう設けられる。各長ナット５が軸材１のおねじ部１１とそれぞれ螺合している。各グリップ材６が各長ナット５をそれぞれ被覆するよう設けられている。【選択図】図１
2020141816.tif 000002
【特許請求の範囲】
【請求項１】
軸材と、筒材と、１対の拡径材と、カバーと、１対の長ナットと、１対のグリップ材とを有し、
前記軸材は少なくとも両端におねじ部を有し、
前記筒材は長さ方向に沿った貫通孔を有し、前記貫通孔に前記軸材を貫通させて前記軸材に回転可能に設けられ、
各拡径材は孔と嵌合部とを有し、外径が前記筒材より大径をなし、前記孔に前記軸材を貫通させて前記嵌合部が互いに間隔をあけて前記筒材の各端部と着脱可能に嵌合しており、
前記カバーは筒状であってゴム弾性を有し、各拡径材および前記筒材を着脱可能に被覆して保持するよう設けられ、
各長ナットは前記軸材の前記おねじ部とそれぞれ螺合しており、
各グリップ材は各長ナットをそれぞれ被覆するよう設けられていることを、
特徴とするマッサージ器具。
【請求項２】
各拡径材は、前記軸材の両端側の外径が中心側より次第に大きくなっており、前記筒材に対し長さ方向の任意の位置で保持可能に設けられていることを、特徴とする請求項１記載のマッサージ器具。
【請求項３】
１対のナットと１対のワッシャとを有し、各ナットおよび各ワッシャは各拡径材の前記孔より大径をなし、各ワッシャは各拡径材および前記筒材を挟んで前記軸材に設けられ、各ナットは各ワッシャ、各拡径材および前記筒材を挟んで前記軸材の前記おねじ部とそれぞれ螺合していることを、特徴とする請求項１または２記載のマッサージ器具。
【請求項４】
前記カバーは大径部と小径部とを連続的に繰り返す蛇腹状の外形を有することを、特徴とする請求項１、２または３記載のマッサージ器具。
【発明の詳細な説明】
【技術分野】
【０００１】
本発明は、マッサージ器具に関する。
【背景技術】
【０００２】
従来、軸棒に複数個のローラが回転可能に取り付けられて成る小径ポールが中径ポールに挿入され、中径ポールが大径ポールに挿入されて構成されるマッサージ器具が開示されている（例えば、特許文献１参照）。このマッサージ器具は、小径ポールに中径ポール、大径ポールを任意に組み合わせることにより、太さやクッション性を調整することができる。
また、直径が異なる複数のマッサージプレートから成るマッサージローラを軸材に取り付けて成るマッサージ器具が開示されている（例えば、特許文献２参照）。このマッサージ器具は、直径が異なる複数のマッサージプレートを並び替えることにより、マッサージ部位に応じて太さ形状を変えることができる。
【先行技術文献】
【特許文献】
【０００３】
【特許文献１】特開２０１８−１９６５７２号公報
【特許文献２】実用新案登録第３１９９３０５号公報
【発明の概要】
【発明が解決しようとする課題】
【０００４】
しかしながら、特許文献１に記載のマッサージ器具では、太さを変えることはできるが、中央を細くするなど、太さ形状を変えることはできないという課題があった。特許文献２に記載のマッサージ器具では、太さ形状を変えることができるが、複数のマッサージプレートを並び替えるのに手数がかかり、使い勝手が悪いという課題があった。また、複数のマッサージプレート間に段差を生じるため、体に当たったときの感触に滑らかさが欠けるという課題もあった。
【０００５】
本発明は、このような課題に着目してなされたもので、太さ形状を容易に変えることができるとともに感触が滑らかなマッサージ器具を提供することを目的とする。
【課題を解決するための手段】
【０００６】
上記目的を達成するために、本発明に係るマッサージ器具は、軸材と、筒材と、１対の拡径材と、カバーと、１対の長ナットと、１対のグリップ材とを有し、前記軸材は少なくとも両端におねじ部を有し、前記筒材は長さ方向に沿った貫通孔を有し、前記貫通孔に前記軸材を貫通させて前記軸材に回転可能に設けられ、各拡径材は孔と嵌合部とを有し、外径が前記筒材より大径をなし、前記孔に前記軸材を貫通させて前記嵌合部が互いに間隔をあけて前記筒材の各端部と着脱可能に嵌合しており、前記カバーは筒状であってゴム弾性を有し、各拡径材および前記筒材を着脱可能に被覆して保持するよう設けられ、各長ナットは前記軸材の前記おねじ部とそれぞれ螺合しており、各グリップ材は各長ナットをそれぞれ被覆するよう設けられていることを、特徴とする。
【０００７】
本発明に係るマッサージ器具は、両端のグリップ材を握り、カバーの部分を足裏・脚・腹・首・腰などに当ててカバー、筒材および拡径材を一体的に回転させ、マッサージを行うことができる。カバーは、ゴム弾性を有するため、拡径材と筒材との間に段差があってもそれらを被覆して吸収し、感触を滑らかにすることができる。
【０００８】
体に当たる部分の太さ形状を変えたい場合には、拡径材を太さ形状の異なる他の拡径材と交換する。螺合する長ナットをグリップ材とともに軸材から取り外し、カバー、筒材および拡径材を一体的に軸材から取り外して、着脱可能なカバーを拡径材から外すことにより、拡径材を容易に交換することができる。筒材に他の拡径材を取り付けたならば、逆の手順で組み立てる。こうして、太さ形状を容易に変えることができる。拡径材の太さ形状が変わっても、カバーが拡径材および筒材を被覆し、段差を吸収して感触を滑らかにすることができる。
カバーは、各拡径材の全体を被覆していても一部のみを被覆していてもよい。
【０００９】
本発明に係るマッサージ器具で、各拡径材は、前記軸材の両端側の外径が中心側より次第に大きくなっており、前記筒材に対し長さ方向の任意の位置で保持可能に設けられていることが好ましい。
この場合、各拡径材を互いに近づけることにより、体に当たる部分の湾曲度を大きくすることができる。反対に、各拡径材を互いに遠ざければ、体に当たる部分の湾曲度を小さくすることができる。このため、マッサージ部位に応じて、体に当たる部分の湾曲度を容易に調整することができる。
【００１０】
本発明に係るマッサージ器具は、１対のナットと１対のワッシャとを有し、各ナットおよび各ワッシャは各拡径材の前記孔より大径をなし、各ワッシャは各拡径材および前記筒材を挟んで前記軸材に設けられ、各ナットは各ワッシャ、各拡径材および前記筒材を挟んで前記軸材の前記おねじ部とそれぞれ螺合していることが好ましい。
この場合、ナットを筒材の方向に締め付けることにより、拡径材を筒材の方向に移動させ、体に当たる部分の湾曲度を容易に大きくすることができる。また、ナットを筒材の方向に締め付けることにより、カバー、筒材および拡径材を軸材に対して回転しにくくすることができる。反対に、ナットを緩めることにより、カバー、筒材および拡径材を軸材に対して回転しやすくすることができる。
【００１１】
前記カバーは、大径部と小径部とを連続的に繰り返す蛇腹状の外形を有することが好ましい。
この場合、カバーの表面が蛇腹状をなして、マッサージ効果を高めることができる。また、各拡径材を互いに近づけたり遠ざけたりしたとき、カバーが伸縮しやすく、筒材および拡径材を被覆した状態を保ちやすい。
【００１２】
拡径材は、底面と側面とを有し、カップ形状を有していることが好ましい。この場合、孔は底面に設けられ、嵌合部は側面の内側に形成される。嵌合部にはめねじ部が形成され、筒材の端部にはそのめねじ部と螺合するおねじ部が形成されていてもよい。この場合、拡径材を筒材に対して回転させることにより、筒材の端部に容易に着脱することができ、また、拡径材を互いに容易に近づけたり遠ざけたりすることができる。
本発明に係るマッサージ器具は、両手を伸ばした状態の両手の間隔前後の長さであることが好ましい。
【発明の効果】
【００１３】
本発明によれば、太さ形状を容易に変えることができるとともに感触が滑らかなマッサージ器具を提供することができる。
【図面の簡単な説明】
【００１４】
【図１】本発明の実施の形態のマッサージ器具の分解正面図である。
【図２】図１に示すマッサージ器具を組み立てた状態の正面図である。
【発明を実施するための形態】
【００１５】
以下、図面に基づいて、本発明の実施の形態について説明する。
図１および図２は、本発明の実施の形態のマッサージ器具を示している。
図１および図２に示すように、マッサージ器具は、軸材１と、筒材２と、１対の拡径材３と、カバー４と、１対の長ナット５と、１対のグリップ材６と、１対のナット７と、１対のワッシャ８とを有している。
【００１６】
軸材１は、直棒状のボルトであって、側面３２全体におねじ部１１を有している。軸材１の中心付近の両側には滑りテープ１２が巻き付けられている。軸材１は、両手を伸ばした状態の両手の間隔前後の長さを有し、３０〜５０ｃｍ位の長さであることが好ましいが、他の長さであってもよい。
【００１７】
筒材２は、円筒状であって、長さ方向中心に沿った貫通孔を有している。筒材２の両端側の側面３２には、ゴム弾性を有する保持テープ２１が巻き付けられている。筒材２は、貫通孔に軸材１を貫通させて軸材１に回転可能に設けられている。
【００１８】
各拡径材３は、カップ形状であって、円形の底面３１と円筒状の側面３２とを一体的に有している。底面３１は、中心に孔を有している。側面３２は、内側に嵌合部３３を有している。各拡径材３は、側面３２の外径が筒材２より大径をなし、孔に軸材１を貫通させて嵌合部３３が互いに間隔をあけて筒材２の各端部と着脱可能に嵌合している。側面３２は、軸材１の両端側の外径（底面３１側の外径）が中心側（縁３４側）より次第に大きくなっており、筒材２に対し長さ方向の任意の位置で保持可能に設けられている。
【００１９】
カバー４は、ウレタン発泡樹脂から成り、筒状であってゴム弾性を有している。カバー４は、各拡径材３および筒材２を着脱可能に被覆して保持するよう設けられ、ローラーを構成している。カバー４は、大径部と小径部とを連続的に繰り返す蛇腹状の外形を有している。
各長ナット５は、軸材１のおねじ部１１とそれぞれ螺合している。
各グリップ材６は、筒状のゴムから成り、各長ナット５をそれぞれ被覆するよう設けられている。各グリップ材６の表面には滑り止め用の凹凸が設けられている。
【００２０】
各ナット７および各ワッシャ８は、各拡径材３の孔より大径をなしている。各ワッシャ８は、各拡径材３および筒材２を挟んで軸材１に設けられている。各ナット７は、各ワッシャ８、各拡径材３および筒材２を挟んで軸材１のおねじ部１１とそれぞれ螺合している。
【００２１】
マッサージ器具は、両端のグリップ材６を握り、カバー４の部分（ローラー）を足裏・脚・腹・首・腰などに当ててカバー４、筒材２および拡径材３を一体的に回転させ、マッサージを行うことができる。カバー４は、ゴム弾性を有するため、拡径材３と筒材２との間に段差があってもそれらを被覆して吸収し、感触を滑らかにすることができる。
【００２２】
体に当たる部分（ローラー）の太さ形状を変えたい場合には、拡径材３を太さ形状の異なる他の拡径材３と交換する。螺合する長ナット５をグリップ材６とともに軸材１から取り外し、さらにナット７および各ワッシャ８を軸材１から取外し、カバー４、筒材２および拡径材３を一体的に軸材１から取り外す。そして、着脱可能なカバー４を拡径材３から外すことにより、拡径材３を筒材２から外して容易に交換することができる。筒材２に他の拡径材３を取り付けたならば、逆の手順で組み立てる。こうして、太さ形状を容易に変えることができる。拡径材３の太さ形状が変わっても、カバー４が拡径材３および筒材２を被覆し、段差を吸収して感触を滑らかにすることができる。
【００２３】
マッサージ器具は、各拡径材３を互いに近づけることにより、体に当たる部分（ローラー）の湾曲度（曲率）を大きくすることができる。反対に、各拡径材３を互いに遠ざければ、体に当たる部分（ローラー）の湾曲度（曲率）を小さくすることができる。このため、マッサージ部位に応じて、体に当たる部分（ローラー）の湾曲度を容易に調整することができる。例えば、脚や首のように湾曲度（曲率）が大きい部分をマッサージする場合には、各拡径材３を互いに近づけて体に当たる部分（ローラー）の曲率を大きくし、腹や腰のように湾曲度（曲率）が小さい部分をマッサージする場合には、各拡径材３を互いに遠ざけて体に当たる部分（ローラー）の曲率を小さくすることにより、マッサージ効果を高めることができる。
【００２４】
また、ナット７を筒材２の方向に締め付けることにより、拡径材３を筒材２の方向に移動させ、体に当たる部分（ローラー）の湾曲度を容易に大きくすることができる。ナット７を筒材２の方向に締め付けることにより、カバー４、筒材２および拡径材３を軸材１に対して回転しにくくすることもできる。反対に、ナット７を緩めることにより、カバー４、筒材２および拡径材３を軸材１に対して回転しやすくすることができる。
【００２５】
マッサージ器具は、カバー４の表面が蛇腹状をなしているので、マッサージ効果を高めることができる。また、マッサージ器具は、カバー４が蛇腹状をなしているので、各拡径材３を互いに近づけたり遠ざけたりしたとき、カバー４が伸縮しやすく、筒材２および拡径材３を被覆した状態を保ちやすい。
【００２６】
拡径材３の嵌合部３３にはめねじ部が形成され、筒材２の端部にはそのめねじ部と螺合するおねじ部が形成されていてもよい。この場合、拡径材３を筒材２に対して回転させることにより、筒材２の端部に容易に着脱することができ、また、拡径材３を互いに容易に近づけたり遠ざけたりすることができる。
【符号の説明】
【００２７】
１  軸材
２  筒材
３  拡径材
４  カバー
５  長ナット
６  グリップ材
７  ナット
８  ワッシャ
【図１】
2020141816.tif 000003
【図２】
2020141816.tif 000004